(57)【特許請求の範囲】
【請求項１】
（イ）物品を取り付けるべき取付基体の取付面上に配置されるアダプタ本体と、（ロ）該取付基体の取付穴に該取付面側から挿通された上、該取付基体の裏面に重なるように配置され、該アダプタ本体と協働して該取付基体を表裏両側から挟み込むホルダと、（ハ）該取付穴を挿通して該アダプタ本体とホルダとをねじ締結し、それらアダプタ本体及びホルダによる該取付基体の締付力を与える雄ねじ部材と、を含むアダプタ装置を該取付基体に装着し、該アダプタ本体に対して前記物品を連結固定することで前記取付面上に該物品を取り付けるようになした物品の取付構造において、
前記取付穴の前記取付面側の内周縁に嵌合する、該取付穴の表側から裏側に向って嵌合径が減少する嵌合面を外周面に備えたガイド部材を、前記アダプタ本体に対して前記取付穴の軸心と直角方向に拘束状態に且つ該軸心に沿って該アダプタ本体側に引込可能に設けて、該ガイド部材の前記取付穴の内周縁に対する嵌合に基づいて該アダプタ本体を該取付穴に位置合せするようになし、且つそれらアダプタ本体とガイド部材との間には前記引込みに対する抵抗手段を設けて、前記雄ねじ部材のねじ込みに伴って該ガイド部材を該抵抗手段の抵抗に打ち勝って該アダプタ本体側に引き込ませ、該アダプタ本体を前記取付基体に着座させるようになしたことを特徴とする物品の取付構造。
【請求項２】
請求項１において、前記物品がカウンター等の前記取付基体に設置される水栓であることを特徴とする物品の取付構造。
【請求項３】
請求項１，２の何れかにおいて、前記嵌合面がテーパ形状をなしていることを特徴とする物品の取付構造。
【請求項４】
請求項１〜３の何れかにおいて、前記抵抗手段が、前記ガイド部材とアダプタ本体との間に介在され、弾性力に基づいて該ガイド部材の引込みに対し抵抗力を生ずる弾性部であることを特徴とする物品の取付構造。
【請求項５】
請求項４において、前記ガイド部材が樹脂製の部材であって、前記弾性部が該ガイド部材に一体に形成されていることを特徴とする物品の取付構造。
【請求項６】
請求項５において、前記弾性部が、前記ガイド部材から前記アダプタ本体側に向って突出状に形成されて先端部を該アダプタ本体に当接させる弾性アームにて構成されていることを特徴する物品の取付構造。
【請求項７】
請求項４において、前記弾性部が、前記ガイド部材と別体をなして、それらガイド部材とアダプタ本体との間に介装されたばね部材にて構成されていることを特徴とする物品の取付構造。
【発明の詳細な説明】
【０００１】
【発明の属する技術分野】
この発明は水栓等の物品をカウンター等の取付基体に取り付けるための取付構造に関し、詳しくはアダプタ装置を用いて水栓等物品を取付面の側から取付基体に取付固定するためのものに関する。
【０００２】
【発明の背景】
所定の物品、例えば水栓をその取付基体の取付面、例えばカウンターの上面に取り付けるための取付構造として、従来図９に示す取付構造が採用されていた。この取付構造は、水栓２００に設けた雄ねじ管２０２を、カウンター２０４に形成した水栓２００の取付穴２０６に対して取付面、即ち上面側から挿通した上、カウンター２０４の裏面側から固定ナット２０８を雄ねじ管２０２にねじ込んで水栓２００の取付けを行うといったものである。
【０００３】
しかしながらこの取付構造の場合、カウンター２０４の裏面側から固定ナット２０８の嵌込及び締付作業を行わなければならず、そのため水栓２００の取付作業性が悪く、その取付施工のために多大な手間がかかる問題があった。
【０００４】
その解決手段として、（イ）水栓を取り付けるべきカウンターの取付面上に配置されるアダプタ本体と、（ロ）カウンターの取付穴に取付面側から挿通された上、カウンターの裏面に重なるように配置され、アダプタ本体と協働してカウンターを表裏両側から挟み込むホルダと、（ハ）取付穴を挿通してアダプタ本体とホルダとをねじ締結し、それらアダプタ本体及びホルダによるカウンターの締付力を与える雄ねじ部材と、を含むアダプタ装置をカウンターに装着し、そしてアダプタ本体に対して水栓を連結固定することで取付面上に水栓を取り付けるといったことが考えられている。
【０００５】
図１０はこの種アダプタ装置におけるアダプタ本体の一例を示したもので、このアダプタ装置の場合、アダプタ本体２１０を着座面２１２においてカウンター２０４上に着座させ、そしてカウンター２０４の裏側に配したホルダとアダプタ本体２１０とを雄ねじ部材にて、カウンター２０４を表裏両側から強く挟み込む状態に締結し、そしてこのアダプタ本体２１０に対し、カウンター２０４上において水栓２００を固定し、以って水栓２００をカウンター２０４上に設置する。
【０００６】
ところで、アダプタ本体２１０が取付穴２０６に対し位置ずれした状態でカウンター２０４上に取り付けられてしまうと、水栓２００を良好に設置することができない。
そこでこのアダプタ本体２１０にあっては、周方向複数箇所から位置決突起２１４を下向きに突出させ、それらを取付穴２０６の内面に嵌合させることによって、アダプタ本体２１０を取付穴２０６に合致するように位置決めするようにしている。
【０００７】
しかしながら水栓２００の取付穴２０６は取付現場ごとに大きさがまちまちであり、予めアダプタ本体２１０に位置決突起２１４を定位置に設けておくと多くの場合、取付穴２０６に対してアダプタ本体２１０における位置決突起２１４を良好に嵌め合せることができず、ひいては水栓２００の設置を良好に行えないといった問題が生ずる。
【０００８】
そこで本発明者等は図１１に示すような水栓の取付構造を案出した。
同図において２１６は、取付基体としてのカウンター２０４を裏側から挟み込むホルダであって、２１８はアダプタ本体２１０とは別体に構成されたガイド部材である。
ガイド部材２１８は取付穴２０６に対する位置合せ機能を有していて、テーパ形状の嵌合面２２０を有しており、その嵌合面２２０を取付穴２０６の取付面側、つまり上面側の内周縁に嵌合させることによって自身を取付穴２０６に合致する位置に位置合せする。
【０００９】
ガイド部材２１８は、その位置合せ状態で取付穴２０６を貫通する雄ねじ部材２２２にてホルダ２１６に締結され、その雄ねじ部材２２２の締付力により、ホルダ２１６とともにカウンター２０４を挟み付ける状態に固定される。
そしてこのガイド部材２１８に対しアダプタ本体２１０が固定される。詳しくは、アダプタ本体２１０の挿通孔２２４を挿通して雄ねじ部材２２６がガイド部材２１８の雌ねじ孔２２８にねじ込まれることで、かかるアダプタ本体２１０がカウンター２０４の上面にパッキン２３０を介して着座する状態に固定される。
【００１０】
このとき、アダプタ本体２１０はガイド部材２１８に嵌合した状態となり、ガイド部材２１８を介して取付穴２０６に対し位置合せされる。
そしてこのアダプタ本体２１０に対し水栓２００の下部の円筒部が外嵌状態で固定されることで、かかる水栓２００がカウンター２０４上に取付固定される。尚２３２は、ガイド部材２１８から下向きに延び出してホルダ２１６の内面に当接し、これによってホルダ２１６とガイド部材２１８との回転方向の位置を規制する位置決ピンである。
【００１１】
この水栓２００の取付構造の場合、取付穴２０６の大きさが現場ごとにまちまちであっても、ガイド部材２１８の位置合せ機能に基づいて水栓２００を正しく取付穴２０６に位置合せした状態で取付固定することができる。
【００１２】
【発明が解決しようとする課題】
しかしながらこの取付構造の場合、水栓２００の取付けに当って、ガイド部材２１８を雄ねじ部材２２２にてホルダ２１６と締結する作業、及びそのようにしてカウンター２０４に固定したガイド部材２１８に対し、更にアダプタ本体２１０を雄ねじ部材２２６にて固定する作業が必要であって、水栓２００の取付けのための作業工数が多く、水栓２００の取付けに面倒を伴う問題があった。
【００１３】
また図１１の取付構造において、ガイド部材２１８として金属製のものを用いるとコストが高くなる問題もあった。
以上水栓の取付構造を例に挙げて述べたが他の物品を設置するに際しても同様の問題が生ずる。
【００１４】
【課題を解決するための手段】
本発明の物品の取付構造はこのような課題を解決するために案出されたものである。
而して請求項１のものは、（イ）物品を取り付けるべき取付基体の取付面上に配置されるアダプタ本体と、（ロ）該取付基体の取付穴に該取付面側から挿通された上、該取付基体の裏面に重なるように配置され、該アダプタ本体と協働して該取付基体を表裏両側から挟み込むホルダと、（ハ）該取付穴を挿通して該アダプタ本体とホルダとをねじ締結し、それらアダプタ本体及びホルダによる該取付基体の締付力を与える雄ねじ部材と、を含むアダプタ装置を該取付基体に装着し、該アダプタ本体に対して前記物品を連結固定することで前記取付面上に該物品を取り付けるようになした物品の取付構造において、前記取付穴の前記取付面側の内周縁に嵌合する、該取付穴の表側から裏側に向って嵌合径が減少する嵌合面を外周面に備えたガイド部材を、前記アダプタ本体に対して前記取付穴の軸心と直角方向に拘束状態に且つ該軸心に沿って該アダプタ本体側に引込可能に設けて、該ガイド部材の前記取付穴の内周縁に対する嵌合に基づいて該アダプタ本体を該取付穴に位置合せするようになし、且つそれらアダプタ本体とガイド部材との間には前記引込みに対する抵抗手段を設けて、前記雄ねじ部材のねじ込みに伴って該ガイド部材を該抵抗手段の抵抗に打ち勝って該アダプタ本体側に引き込ませ、該アダプタ本体を前記取付基体に着座させるようになしたことを特徴とする。
【００１５】
請求項２のものは、請求項１において、前記物品がカウンター等の前記取付基体に設置される水栓であることを特徴とする。
【００１６】
請求項３のものは、請求項１，２の何れかにおいて、前記嵌合面がテーパ形状をなしていることを特徴とする。
【００１７】
請求項４のものは、請求項１〜３の何れかにおいて、前記抵抗手段が、前記ガイド部材とアダプタ本体との間に介在され、弾性力に基づいて該ガイド部材の引込みに対し抵抗力を生ずる弾性部であることを特徴とする。
【００１８】
請求項５のものは、請求項４において、前記ガイド部材が樹脂製の部材であって、前記弾性部が該ガイド部材に一体に形成されていることを特徴とする。
【００１９】
請求項６のものは、請求項５において、前記弾性部が、前記ガイド部材から前記アダプタ本体側に向って突出状に形成されて先端部を該アダプタ本体に当接させる弾性アームにて構成されていることを特徴する。
【００２０】
請求項７のものは、請求項４において、前記弾性部が、前記ガイド部材と別体をなして、それらガイド部材とアダプタ本体との間に介装されたばね部材にて構成されていることを特徴とする。
【００２１】
【作用及び発明の効果】
以上のように本発明は、アダプタ本体に対して取付穴の軸心と直角方向に拘束状態にガイド部材を設けて、そのガイド部材の位置合せ機能に基づきアダプタ本体を取付穴に位置合せし、そして雄ねじ部材のねじ込みに伴ってガイド部材を抵抗手段の抵抗に打ち勝ってアダプタ本体側に引き込ませ、アダプタ本体を取付基体に着座させるようになしたもので、かかる本発明の物品の取付構造においては、アダプタ本体がホルダに対し雄ねじ部材により締結されて取付基体に固定される。
【００２２】
即ち図１１に示す取付構造、即ちガイド部材を一旦取付基体に固定した上で、更にそのガイド部材に対してアダプタ本体を固定する取付構造と異なり、アダプタ本体を直接取付基体に固定するものであるため、少ない作業工数で簡単にアダプタ本体を取付基体に固定でき、ひいては所定の物品を取付基体に容易に取付作業することができる。
【００２３】
本発明は、特に水栓を取付基体に設置するに際し適用して好適である（請求項２）。
本発明ではまた、上記ガイド部材の嵌合面をテーパ形状となしておくことができる（請求項３）。
【００２４】
また本発明では上記抵抗手段を、ガイド部材とアダプタ本体との間に介在させた弾性部となすことができる（請求項４）。
このようにすることでガイド部材の引込みに対する適当な抵抗力を与えることができ、ひいてはガイド部材における位置合せ機能を良好に発揮させることができる。
【００２５】
この場合においてそのガイド部材を樹脂製となし、上記弾性部をそのガイド部材に一体に形成しておくことができる（請求項５）。
このようにガイド部材を樹脂製とすることで、これを金属製とした場合に比べてガイド部材を低コスト化することができ、しかも弾性部をガイド部材に一体に形成しておくことが可能となって必要な部品数を少なくすることができる。
【００２６】
このようにガイド部材を樹脂製となし且つ弾性部をガイド部材に一体に形成する場合において、そのガイド部材から弾性アームを突出させてその先端部をアダプタ本体に当接させ、その弾性アームにて上記弾性部を構成することができる（請求項６）。
一方においてその弾性部は、ガイド部材と別体をなすばね部材にて構成しておくことができる（請求項７）。
【００２７】
【実施例】
次に本発明の実施例を図面に基づいて詳しく説明する。
図１において、１０は取付基体としてのカウンターで、取付穴１２において自動水栓（詳しくは吐水部）１４が、アダプタ装置１６によりカウンター１０の上面に取り付けられている。
ここで吐水部１４は先端近傍位置に吐水口１８を有している。
【００２８】
アダプタ装置１６は、図３にも示しているようにカウンター１０の表側（上側）のアダプタ本体２０及びこれとは別体をなすガイド部材２２と、カウンター１０の裏側のホルダ２４と、それらアダプタ本体２０及びホルダ２４をねじ締結し、その締付力によりアダプタ本体２０とホルダ２４とでカウンター１０を表裏両側から挟持させる一対の雄ねじ部材２６-１，２６-２とを有している。
上記自動水栓（以下水栓）１４は、そのアダプタ本体２０に固定されることでカウンター１０上に設置されている。
【００２９】
図４に示しているように、アダプタ本体２０は概略ハット状をなしており、円形の周壁部２８と上壁部３０及び周壁部２８の下端部に外向きに設けられたフランジ部３２とを有している。
上壁部３０には開口３４が形成されており、水栓１４に給水を行う給水管がこの開口３４に挿通されるようになっている。
【００３０】
アダプタ本体２０には、上壁部３０の下面から下向きに突き出す形態で、中心部に雄ねじ部材２６-１，２６-２の挿通孔３６を有する円筒部３８，３８が設けられている。
このアダプタ本体２０は、フランジ部３２下面においてリング状パッキン４０を介しカウンター１０の上面に着座させられる。
尚、周壁部２８の周方向所定箇所には雌ねじ孔４２が設けられている。この雌ねじ孔４２に対し、図２に示しているように水栓１４下端部を貫通して固定ネジ４４がねじ込まれることで、アダプタ本体２０に対し水栓１４が回止め状態に固定される。
【００３１】
上記ガイド部材２２は、アダプタ本体２０を取付穴１２に対し位置合せするための部材であって、周方向３箇所にアダプタ本体２０の周壁部２８に内嵌する内嵌部４６を有している。
ガイド部材２２は、内嵌部４６においてアダプタ本体２０の周壁部２８に内嵌することによってアダプタ本体２０に対し軸直角方向、詳しくは取付穴１２の軸心と直角方向に拘束され、アダプタ本体２０と同方向に一体移動させられる。
【００３２】
このガイド部材２２は、外周面の下部がテーパ形状の嵌合面４８とされている。
ガイド部材２２は、この嵌合面４８を図２に示しているように取付穴１２の上面側（取付面側）の内周縁に嵌合させることによって、自身を取付穴１２に対し位置合せする。
上記アダプタ本体２０は、このガイド部材２２の位置合せ機能に基づいて取付穴１２に位置合せされる。
【００３３】
ガイド部材２２は、全体として中空環状をなしており、その中空部に、アダプタ本体２０の上記円筒部３８に部分的に嵌合する略半円形状の一対の凹部４９が形成されている。
またその中空部には、上記給水管を挿通させるための凹部５０が形成されている。
【００３４】
ガイド部材２２は樹脂製の部材であって、周方向３箇所に弾性アーム５２が一体成形されている。
これら３つの弾性アーム５２は、水平部５４とその先端から上向きに向う立上げ部５６を有しており、それら立上げ部５６の先端部をアダプタ本体２０の上壁部３０下面に当接させるようになっている。
これら弾性アーム５２は、その弾性力に基づいてアダプタ本体２０に対するガイド部材２２の図中上向きの引込運動に対する抵抗力を与える。
【００３５】
図４に示しているように、ホルダ２４は平面形状が略直線状且つ側面形状が上向きの湾曲形状をなしており、その両端部上面には、カウンター１０の裏面に当接する滑止め材から成る当接部５８が設けられている。
このホルダ２４には、長手方向略中央部と一方の端部寄りの位置に、上下に貫通の雌ねじ孔６０，６２が形成されており、そして一方の雌ねじ孔６２に雄ねじ部材２６-１が螺合され、また他方の雌ねじ孔６０に、今一方の雄ねじ部材２６-２が螺合されるようになっている。
【００３６】
ここで雌ねじ孔６２に螺合された一方の雄ねじ部材２６-１の下端部には袋ナット６４が螺合されている。
この袋ナット６４は当初ロックナットとしての働きをなし、そのロックナットとしての働きにより、図３に示す状態即ちホルダ２４がアダプタ本体２０とともにカウンター１０を挟持する前の状態において、ホルダ２４を雄ねじ部材２６-１と共回りさせる。
【００３７】
この袋ナット６４は、図６に示しているようにホルダ２４がアダプタ本体２０とともにカウンター１０を挟持して固定状態となった後においては、ホルダ２４の落下防止部材として働く。
尚、図３に示しているようにホルダ２４には凹陥部６６が形成されており、そこに袋ナット６４が大部分収容されている。
【００３８】
図４に示しているように、ホルダ２４の上面且つ雌ねじ孔６０の上側には、概略円筒状をなし周方向所定箇所に開口６８を有する樹脂製の弾性クリップ７０が固定されている。
弾性クリップ７０は、その軸心が下側の雌ねじ孔６０の軸心と一致する状態で設けられている。
この弾性クリップ７０は、雄ねじ部材２６-２を雌ねじ孔６０にねじ込む際に、ホルダ２４を雄ねじ部材２６-２に対し回転方向に位置決めするものである。
【００３９】
ホルダ２４にはまた、長手方向のほぼ中央位置に上記給水管との干渉回避用の凹部７２が設けられている。
【００４０】
次に本例におけるアダプタ本体２０の取付け及びこれに続く水栓１４の取付けの手順を、図５及び図６に基づいて説明する。
先ず図５（Ｉ）に示しているように、雄ねじ部材２６-１によってアダプタ本体２０とホルダ２４とを連結した状態としておく。尚このとき、ガイド部材２２をアダプタ本体２０に内嵌させておく。
また袋ナット６４を締め込んでこれをロックナットとして働かせ、ホルダ２４が雄ねじ部材２６-１と共回りするようにしておく。
【００４１】
その状態でアダプタ本体２０，ガイド部材２２，ホルダ２４，雄ねじ部材２６-１全体を傾け、ホルダ２４を一方の端部から且つカウンター１０の上面側から取付穴１２に挿通し、図５（II）に示しているようにホルダ２４全体をカウンター１０の裏側に位置させる。
【００４２】
その後雄ねじ部材２６-１を回転操作することによってホルダ２４を回転させ、アダプタ本体２０とともにカウンター１０を挟持可能な位置まで回転させる。尚この回転操作は、今一方の雄ねじ部材２６-２をアダプタ本体２０に挿通した状態で行っても良い。
このとき、雄ねじ部材２６-２が弾性クリップ７０に当接し且つ嵌合することによって、雄ねじ部材２６-２とホルダ２４との回転方向の位置が規定される。即ちこれによってホルダ２４が本来の正しい回転方向位置に位置決めされる。
【００４３】
図５（II）に示しているように、この段階でアダプタ本体２０はカウンター１０の上面に着座せず、これに内嵌されたガイド部材２２が、そのテーパ形状の嵌合面４８においてカウンター１０の上面側の内周縁に嵌合した状態となる。
そしてその嵌合に基づいてガイド部材２２がカウンタ−１０の取付穴１２に位置合せされる。そしてその結果としてアダプタ本体２０が取付穴１２に位置合せされる。
【００４４】
その後一対の雄ねじ部材２６-１，２６-２をねじ込んで行くと、これとともにホルダ２４が図中上向きに引き上げられて行き、最終的に長手方向両端部の当接部５８がカウンター１０の裏面に当接する。
図６（III）はこのときの状態を表している。
【００４５】
この状態で更に雄ねじ部材２６-１，２６-２を強くねじ込んで行くと、これとともにアダプタ本体２０に内嵌状態にあるガイド部材２２が、先端部をアダプタ本体２０の上壁部３０に当接させた３つの弾性アーム５２を弾性変形させながらアダプタ本体２０内部に深く押し込まれ（引き込まれ）て行き、これとともにアダプタ本体２０がカウンター１０に対し接近して、最終的に図６（IV）に示しているようにアダプタ本体２０の下面、即ちフランジ部３２の下面がパッキン４０を介しカウンター１０上面に着座し、かかるアダプタ本体２０が、カウンター１０裏面側のホルダ２４とともにカウンター１０を表裏両側から挟持した状態となって、ここにアダプタ本体２０がカウンター１０上に固定状態となる。
【００４６】
その後アダプタ本体２０に対し水栓１４を固定することで、かかる水栓１４をカウンター１０に設置することができる。
【００４７】
以上のような本例の水栓取付構造においては、図７（Ａ）に示しているように取付穴１２の穴径がＤ０で小さい場合であっても、更にはまた（Ｂ）に示しているように穴径がこれよりも大きいＤ１の大きい取付穴１２であっても、ガイド部材２２におけるテーパ形状の嵌合面４８の作用に基づいてガイド部材２２、ひいてはアダプタ本体２０を取付穴１２に対し正確に位置合せした状態でカウンター１０に固定することができる。
即ち水栓１４を現場において取付施工する際、現場ごとに取付穴１２の大きさがまちまちであっても支障なく良好に水栓１４をカウンター１０に取付施工することができる。
【００４８】
加えて本例においては、ガイド部材２２がカウンター１０に固定されず、アダプタ本体２０が直接カウンター１０に固定される構造であるため、図１１に示す取付構造と異なって少ない作業工数で簡単にアダプタ本体２０をカウンター１０に固定でき、ひいては水栓１４を容易にカウンター１０に取付作業することができる。
【００４９】
一方において、ガイド部材２２にはアダプタ本体２０に対し引込方向に弾性アーム５２による弾性抵抗力が与えてあるため、ガイド部材２２における位置合せ機能を良好に発揮させることができる。
またそのガイド部材２２はその全体が樹脂にて構成されているため、ガイド部材２２に要するコストを低コストとなすことができる。
加えてそのガイド部材２２に弾性部（弾性アーム５２）が一体に成形してあるため、必要な部品数を少なくすることができる。
【００５０】
上記実施例では樹脂製のガイド部材２２に一体に成形した弾性アーム５２にて弾性部を構成しているが、図８に示しているようにガイド部材２２と別体をなす金属製の圧縮コイルスプリング７４をガイド部材２２とアダプタ本体２０との間に介装し、これをもって弾性部となすことも可能である。
またこのような弾性部に代えて、ガイド部材２２がアダプタ本体２０側に引込運動する際に抵抗を発生させる抵抗手段を設けることも可能である。
【００５１】
その他本発明は、上例の自動水栓以外の通常の水栓、更にはまた水栓以外の他の物品をカウンター等その他の取付基体に取り付けるに際し適用することが可能であるなど、本発明はその主旨を逸脱しない範囲において種々変更を加えた形態で構成可能である。
【図面の簡単な説明】
【図１】本発明の一実施例である水栓の取付構造を水栓設置状態で示す一部切欠正面図である。
【図２】同実施例を水栓設置状態で示す一部切欠側面図である。
【図３】同実施例を水栓とアダプタ装置とに分解して示す図である。
【図４】図３のアダプタ装置を各部材に分解して示す斜視図である。
【図５】同実施例におけるアダプタ装置の固定手順を示す図である。
【図６】図５に続く手順の説明図である。
【図７】同実施例の利点の説明図である。
【図８】本発明の他の実施例の要部斜視図である。
【図９】従来の水栓の取付構造の説明図である。
【図１０】図９とは異なる水栓の取付構造において用いられるアダプタ本体の一例を示す図である。
【図１１】本発明の解決課題を説明するために示した比較例図である。
【符号の説明】
１０  カウンター（取付基体）
１２  取付穴
１４  自動水栓（物品）
１６  アダプタ装置
２０  アダプタ本体
２２  ガイド部材
２４  ホルダ
２６-１，２６-２  雄ねじ部材
４８  嵌合面
５２  弾性アーム（弾性部）
７４  圧縮コイルスプリング（ばね部材）
【図１】
0003892332.tif 000002
【図２】
0003892332.tif 000003
【図３】
0003892332.tif 000004
【図４】
0003892332.tif 000005
【図５】
0003892332.tif 000006
【図６】
0003892332.tif 000007
【図７】
0003892332.tif 000008
【図８】
0003892332.tif 000009
【図９】
0003892332.tif 000010
【図１０】
0003892332.tif 000011
【図１１】
0003892332.tif 000012